(57)【特許請求の範囲】
【請求項１】
集合玄関に設置されている集合玄関機と、住戸に設置され、表示手段を具備する住宅情報盤と、上記住宅情報盤と上記集合玄関機とに接続され、これらを互いに接続する制御信号線を介してインターホン通話を制御する制御装置とを具備するインターホンシステムにおいて、
上記集合玄関機が、
居住者のＩＤデータを読み取る手段と、居住者のＩＤデータと居住者の住戸情報とを対応付けて上記居住者のＩＤデータと上記居住者の住戸データとを蓄積している蓄積手段とを具備し、読み取った前記ＩＤデータと前記蓄積手段に蓄積しているＩＤデータとを照合して集合住宅における居住者であることを認証する認証手段と；
上記認証手段が居住者であることを認証したら、前記制御装置を介して、集合玄関のオートドアを開く解錠信号を出力させるとともに、上記認証された居住者のＩＤデータに対応して上記蓄積手段に蓄積されている住戸に、インターホン通話を制御する前記制御信号線を介して帰宅信号を送信する送信手段と；
を有し、
上記住宅情報盤が、
インターホン通話を制御する前記制御信号線を介して上記帰宅信号を受信する受信手段と；
上記帰宅信号を受信したときに住戸内にある複数の電気機器のうちで、居住者が帰宅したときにオンしたい電気機器を設定することが可能な動作開始機器設定手段と；
上記帰宅信号を受信すると、上記動作開始機器設定手段に設定されている電気機器に、動作開始信号を送信する動作開始信号送信手段と；
を有することを特徴とするインターホンシステム。
【請求項２】
請求項１において、
上記認証手段は、指紋、虹彩、網膜、所有する非接触キーのいずれかから成る居住者のＩＤデータと居住者の住戸情報とを対応付けて、上記居住者のＩＤデータと上記居住者の住戸情報とを蓄積している蓄積手段を有することを特徴とするインターホンシステム。
【請求項３】
集合玄関に設置されている集合玄関機と、住戸に設置され、表示手段を具備する住宅情報盤と、上記住宅情報盤と上記集合玄関機とに接続され、インターホン通話を制御する制御装置とを具備するインターホンシステムにおいて、
上記集合玄関機が、
集合住宅における居住者であることを認証する認証手段と；
上記認証手段が居住者であることを認証したら、この認証された居住者の住戸に帰宅信号を送信する送信手段と； 
を有し、
上記住宅情報盤が、上記帰宅信号を受信する受信手段を有し、
上記住宅情報盤は、帰宅信号を受信すると、上記住戸内の温度情報を上記集合玄関機に送信し、上記集合玄関機の表示部に、該温度を表示することを特徴とするインターホンシステム。
【発明の詳細な説明】
【技術分野】
【０００１】
本発明は、インターホンシステムに関する。
【背景技術】
【０００２】
従来の集合住宅のインターホンシステムは、各住戸に設置した住宅情報盤と、管理人室に設置されている管理人室親機と、集合玄関に設置されている集合玄関機とによって構成され、それぞれの機器間で、インターホン通話を行うことができるように、インターホン制御装置が制御している。
【０００３】
集合玄関機には、認証装置が設けられ、この認証装置は、ＩＤデータ読取手段、ＩＤデータ照合手段、ＩＤデータ蓄積手段を有する。
【０００４】
集合玄関において、居住者（以下、住戸人、住居者と呼ぶ場合もある）が、その認証装置に、ＲＦキー（非接触キー）をかざし、または、指紋を読み取らせることによって、認証装置は、認証装置の前に存在している人が、正当な居住者であるかどうかを認証する。つまり、ＩＤデータ蓄積手段に蓄積されている指紋等のＩＤ情報と、認証装置の前に存在している人のＩＤとを比較し、照合されれば、制御装置３０から解錠信号が出力され、電気錠制御装置を介して、集合玄関のオートドアが開放される。
【０００５】
ここで、上記ＩＤは、住宅情報盤に個別に割り当てられているＩＤ（以下、「住戸ＩＤ」という）であり、たとえば、集合住宅における７０３号室の「７０３」が住戸ＩＤである。
【特許文献１】特開２００６−１５４８８６号公報
【発明の開示】
【発明が解決しようとする課題】
【０００６】
ところで、居住者が一人住まいである場合には、自宅の玄関のドアを開けても、照明が点灯していないので、照明用スイッチの場所を手探りで探し、探し当てた照明用スイッチをオンすると、初めて、室内の照明が点灯される。したがって、居住者が一人住まいである場合に、夜間に帰宅し、自宅の玄関のドアを開けてから照明を点灯させるまでの作業が煩雑であるという問題がある。
【０００７】
また、一人住まいでなくても、家族全員が出かけた後に、家族のうちで、最初に帰宅した人が自宅の玄関のドアを開けた場合も、上記と同様に、夜間に帰宅し、自宅の玄関のドアを開けてから照明を点灯させるまでの作業が煩雑であるという問題がある。さらに、帰宅が夏期の蒸し暑い時期であれば、エアコンのスイッチを入れても、瞬時には、室内が適温にはならず、しばらくの間、不快感を伴うという問題がある。しかも、冬期には、帰宅時に、暖房機のスイッチを入れても、直ぐには室内が適温にはならず、しばらくの間、寒さに耐えなければならないという問題がある。
【０００８】
本発明は、住戸内に設けられている電気機器のうちで、必要な電気機器のスイッチを居住者が個々にがオンしなくても、また、居住者の帰宅時刻が定まっていなくても、居住者の帰宅時に、上記必要な電気機器のスイッチが自動的にオンされるインターホンシステムを提供することを目的とするものである。
【課題を解決するための手段】
【０００９】
本発明のインターホンシステムは、集合玄関に設置されている集合玄関機と、住戸に設置され、表示手段を具備する住宅情報盤と、上記住宅情報盤と上記集合玄関機とに接続され、これらを互いに接続する制御信号線を介してインターホン通話を制御する制御装置とを具備するインターホンシステムにおいて、上記集合玄関機が、居住者のＩＤデータを読み取る手段と、居住者のＩＤデータと居住者の住戸情報とを対応付けて上記居住者のＩＤデータと上記居住者の住戸データとを蓄積している蓄積手段とを具備し、読み取った前記ＩＤデータと前記蓄積手段に蓄積しているＩＤデータとを照合して集合住宅における居住者であることを認証する認証手段と、上記認証手段が居住者であることを認証したら、前記制御装置を介して、集合玄関のオートドアを開く解錠信号を出力させるとともに、上記認証された居住者のＩＤデータに対応して上記蓄積手段に蓄積されている住戸に、インターホン通話を制御する前記制御信号線を介して帰宅信号を送信する送信手段とを有し、上記住宅情報盤が、インターホン通話を制御する前記制御信号線を介して上記帰宅信号を受信する受信手段と、上記帰宅信号を受信したときに住戸内にある複数の電気機器のうちで、居住者が帰宅したときにオンしたい電気機器を設定することが可能な動作開始機器設定手段と、上記帰宅信号を受信すると、上記動作開始機器設定手段に設定されている電気機器に、動作開始信号を送信する動作開始信号送信手段とを有することを特徴とする。
【発明の効果】
【００１０】
本発明によれば、住戸内に設けられている電気機器のうちで、必要な電気機器のスイッチを居住者が個々にオンしなくても、また、居住者の帰宅時刻が定まっていなくても、居住者の帰宅時に、上記必要な電気機器のスイッチが自動的にオンされるという効果を奏する。
【発明を実施するための最良の形態】
【００１１】
発明を実施するための最良の形態は、以下の実施例である。
【実施例１】
【００１２】
図１は、本発明の実施例１であるインターホンシステム１００の概略を示すブロック図である。
【００１３】
インターホンシステム１００は、住戸内に設けられている住宅情報盤ＪＢと、集合玄関に設けられている集合玄関機１０と、住宅情報盤ＪＢと集合玄関機１０との間におけるインターホン通話を制御する制御装置３０とを有する。
【００１４】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００１５】
以後、住宅情報盤ＪＢ１０１、…、ＪＢ３０３、…の総称として、住宅情報盤ＪＢの表記を使用する。また、玄関子機Ｃ１０１、…、Ｃ３０３、…の総称として、玄関子機Ｃの表記を使用する。
【００１６】
図２は、インターホンシステム１００における住宅情報盤ＪＢの外観を示す斜視図である。
【００１７】
住宅情報盤ＪＢの表面には、操作部ＯＰと、通話釦Ｂ７と、表示手段としての表示部ＤＰと、注意灯ランプＬＡ１とが設けられている。
【００１８】
操作部ＯＰには、メニュー釦Ｂ１と、上移動釦Ｂ２と、下移動ボタンＢ３と、決定釦Ｂ４と、火災釦Ｂ５と、復旧ボタンＢ６とが設けられている。
【００１９】
図３は、インターホンシステム１００における集合玄関機１０と住宅情報盤ＪＢとの構成を示す図である。
【００２０】
集合玄関機１０は、制御部１１と、通話部１２と、送受信部１３と、呼出部１４と、マイクＭＣと、スピーカＳＰと、認証部Ｒ１とを有する。
【００２１】
制御部１１は、集合玄関機１０の全体を制御する。
【００２２】
通話部１２は、マイクロホンＭＣ、スピーカＳＰに接続され、住宅情報盤ＪＢと通話する手段である。
【００２３】
送受信部１３は、呼出信号や帰宅信号を送信し、制御装置３０からの信号を受信する。この送受信部１３は、認証手段が居住者であることを認証したら、この認証された居住者に対応する住宅情報盤に帰宅信号を送信する送信手段の例である。
【００２４】
呼出部１４は、図示しない釦が設けられ、この釦を押すことによって、所望の住戸を特定し、この特定された住戸の住宅情報盤ＪＢを呼び出す手段である。
【００２５】
認証部Ｒ１は、ＩＤデータ蓄積部１５と、ＩＤデータ読取部１６と、ＩＤデータ照合部１７とを有し、集合住宅における居住者であることを認証する認証手段である。
【００２６】
ＩＤデータ蓄積部１５は、居住者のＩＤデータを蓄積する手段であり、居住者が所有しているＲＦキー（非接触キー）が保持しているＩＤデータを蓄積し、このＩＤデータと住んでいる住戸（の部屋番号）との関係を蓄積している蓄積手段である。また、居住者のＩＤデータが、指紋であれば、この指紋のデータと住戸との関係を蓄積し、居住者のＩＤデータが虹彩（または網膜）であれば、これらのデータと住戸との関係を蓄積する。
【００２７】
ＩＤデータ読取部１６は、居住者のＩＤデータを読み取る手段であり、居住者が所有するＲＦキー（非接触キー）２１か、居住者の指紋２２か、居住者の虹彩２３から、居住者のＩＤデータを読み取る手段である。
【００２８】
ＩＤデータ照合部１７は、ＩＤデータ読取部１６が読み取ったＩＤデータと、ＩＤデータ蓄積部１５が蓄積しているＩＤデータとが一致すると、照合したことを示す照合信号を出力する。
【００２９】
つまり、認証部Ｒ１は、居住者のＩＤデータと居住者の住戸情報とを対応付けて、上記居住者のＩＤデータと上記居住者の住戸情報とを蓄積している手段を有する。
【００３０】
制御装置３０は、集合玄関機１０が照合信号を出力すると、電気錠制御装置３１に解錠信号を出力する。
【００３１】
電気錠制御装置３１は、制御装置３０から解錠信号を受信すると、集合玄関のオードドア３２を開く。
【００３２】
住宅情報盤ＪＢは、送受信部４１と、制御部４２と、通話接続スイッチ４３と、通話部４４と、マイクロホン４５と、スピーカ４６と、表示部４７とを有する。また、住宅情報盤ＪＢは、操作部ＯＰと、住戸ＩＤ設定部５２と、動作開始機器設定部５３と、動作開始信号送信部５４とを有する。
【００３３】
送受信部４１は、制御装置３０から、呼出信号や帰宅信号を受信する。つまり、送受信部４１は、帰宅信号を受信する受信手段の例である。制御部４２は、受信手段が帰宅信号を受信すると、表示手段を点灯させる制御手段の例である。
【００３４】
通話接続スイッチ４３は、集合玄関機１０と通話するときにオンするスイッチである。通話部４４は、マイクロホン４５、スピーカ４６に接続され、玄関子機Ｃや集合玄関機１０と通話する手段である。表示部４７は、住宅情報盤ＪＢを操作する場合に必要な情報を表示する手段である。
【００３５】
住戸ＩＤ設定部５２は、住戸ＩＤ（たとえば、７０３号室であれば、「７０３」）を設定する手段である。
【００３６】
動作開始機器設定部５３は、住戸内にあるＴＶ６１、エアコン６２、照明６３、給湯器６４等の家電製品のうちで、居住者が帰宅したときに、オンしたい家電製品を設定する手段である。つまり、動作開始機器設定部５３は、帰宅信号を受信したときに動作を開始させる対象である電気機器を設定する動作開始機器設定手段の例である。
【００３７】
動作開始信号送信部５４は、集合玄関機１０から、送受信部４１が帰宅信号を受信すると、動作開始機器設定部５３に設定されている家電製品に、動作開始信号を送信する手段である。つまり、動作開始信号送信部５４は、帰宅信号を受信すると、動作開始機器設定手段に設定されている電気機器に、動作開始信号を送信する動作開始信号送信手段の例である。
【００３８】
次に、上記実施例の動作について説明する。
【００３９】
まず、インターホンシステム１００の一般的な動作について説明する。
【００４０】
訪問者が、集合玄関機１０の呼出手段１４を操作し、所望の住戸を呼び出すと、制御信号線Ｌｃを介して、呼出信号が呼出先の住戸に送られる。
【００４１】
そして、呼出先の住戸の住宅情報盤ＪＢの送受信部４１が、上記呼出信号を受信すると、呼出音を鳴らす。このときに、住戸内の居住者が、通話釦Ｂ７を押すと、通話接続スイッチ４３がオンし、住宅情報盤ＪＢの通話部４４と、集合玄関機１０に設けられている通話部１２とが接続され、両者でインターホン通話を実行することができる。
【００４２】
次に、本願発明の特徴的な動作について説明する。
【００４３】
まず、集合玄関機１０において、居住者がＩＤデータ読取部１６にＲＦキー２１をかざすと、ＩＤデータ蓄積部１５に蓄積されているＲＦキーのデータとが対応しているかどうかを、認証部Ｒ１のＩＤデータ照合部１７が照合する。
【００４４】
両データが合致すると、上記ＲＦキーのデータに対応して蓄積されている住戸ＩＤの住戸の送受信部４１に、送受信部１３から、制御装置３０を介して、帰宅信号が送信される。
【００４５】
また、ＲＦキーの代わりに、指紋２２を読み取らせた場合でも、虹彩２３を読み取らせた場合でも、ＩＤデータ蓄積部１５に蓄積されたデータと指紋２２等とが合致すると、指紋のデータまたは虹彩のデータに対応して蓄積されている住戸ＩＤの住戸の送受信部４１に、送受信部１３から、制御装置３０を介して、帰宅信号が送信される。
【００４６】
上記居住者が住む住戸の住宅情報盤ＪＢの送受信部４１が、帰宅信号を受信すると、制御部４２が、モニタである表示部４７を点灯させる。
【００４７】
居住者が郵便物等のチェックを経て、居住者が自住戸に帰宅すると、住宅情報盤ＪＢの表示部４７が点灯しているので、表示部４７から発する光が照明の代わりになり、居住者が夜遅く帰宅しても、室内の状況がわかりやすい。
【００４８】
ところで、居住者がオートドア３２を解錠してから、住居に到達するまでには、郵便物をチェックする時間、エレベータに近づく時間、エレベータの待ち時間、乗っている時間等があるので、所定の移動時間を要する。
【００４９】
また、動作開始機器設定部５３に、ＴＶ６１を動作させ、エアコン６２を動作させ、照明６３を動作させるように予め設定しておけば、送受信部４１が帰宅信号を受信すると、設定されている電気機器をオンし、上記所定の移動時間の間、その電気機器が動作する。したがって、居住者にとっては、自分でわざわざ電気機器のスイッチをオンする手間が省けるだけでは無く、上記所定の移動時間の間に、エアコンが動作するので、夏期であれば室内の温度が低下し、冬季であれば室内が暖房され、居住者にとって都合がよい。
【００５０】
上記実施例によれば、住戸内に設けられている電気機器のうちで、必要な電気機器のスイッチを居住者が個々にオンしなくても、また、居住者の帰宅時刻が定まっていなくても、居住者の帰宅時に、上記必要な電気機器のスイッチが自動的にオンされ、自分で電気機器の電源を入れる手間をなくすことができる。
【００５１】
具体的には、上記実施例によれば、夜間に帰宅し、自宅の玄関のドアを開けた後に、照明用スイッチを容易に探すことができる。また、上記実施例によれば、夏の暑い時期に、自宅の玄関のドアを開けたときに、室の中がむっとすることが少ない。さらに、上記実施例によれば、厳寒期に、帰宅し自宅の玄関のドアを開けると、ほのかに暖かさを感じることができる。
【００５２】
なお、上記実施例において、集合玄関機１０から帰宅信号を送出する際、その居住者の住戸の温度情報を読み込んで、集合玄関機１０の表示部に、その温度を表示するようにしてもよい。
【００５３】
この場合、まず、住戸内にあるエアコン６２の温度センサまたは住戸に設置した熱式の火災感知器が検出している温度情報を、信号線を介して、住宅情報盤ＪＢに定期的に送っており、住宅情報盤ＪＢでは、その温度情報を記憶手段に記憶するようにしておく。
【００５４】
そして、住宅情報盤ＪＢは、帰宅信号を受信した際に、応答信号と共に、その温度情報が付加された信号を送り、集合玄関機１０では、その温度情報が付加された信号を受信すると、図示しない表示部に温度を表示させる。
【００５５】
このように構成すると、居住者は、玄関に居ながら、室内の温度がわかるので、非常に室内の温度が高い場合には、今からエアコン６２を「強」で運転させても、帰宅した際には、まだ室内が涼しくなっていないということを判断できる。よって、集合住宅内の共用スペースで過ごしたり、または１階等にある店舗で時間をつぶしてから、帰宅するという行動を選択することができ、室内が涼しくなった段階で、帰宅することができる。
【図面の簡単な説明】
【００５６】
【図１】本発明の実施例１であるインターホンシステム１００の概略を示すブロック図である。
【図２】インターホンシステム１００における住宅情報盤ＪＢの外観を示す斜視図である。
【図３】インターホンシステム１００における集合玄関機１０と住宅情報盤ＪＢとの構成を示す図である。
【符号の説明】
【００５７】
１００…インターホンシステム、１０…集合玄関、
１１…制御部、１２…通信部、１３…送受信部、１４…呼出部、Ｒ１…認証部、
１５…ＩＤデータ蓄積部、１６…ＩＤデータ読取部、１７…ＩＤデータ照合部、
２１…ＲＦキー、２２…指紋、２３…虹彩（または網膜）、ＪＢ…住宅情報盤、
４１…送受信部、４３…通信接続部、４４…通話部、４７…表示部、ＯＰ…操作部、
５２…住戸ＩＤ設定部、５３…動作開始機器設定部、５４…動作開始信号送信部。
【図１】
0005363014.tif 000002
【図２】
0005363014.tif 000003
【図３】
0005363014.tif 000004